(57)【要約】【課題】拠点機関と各クリニックとの地域連携のもとに進める治療に関する治療情報について、必要なアクセス性を確保しながら、必要な匿名性を確保する。【解決手段】治療情報地域連携システムは相互に連携する拠点機関側治療情報システム１００と複数のクリニック側治療情報システム２００とを備える。拠点機関側治療情報システム１００は、治療情報入力部２１と、治療情報記憶部３１と、施設患者情報入力部２２と、施設患者情報記憶部３２と、匿名化処理を行う治療情報１次匿名化処理部４１と、１次匿名化ＩＤ情報記憶部３３および１次匿名化本体情報記憶部３４と、さらなる匿名化を行うＩＤ情報２次匿名化処理部３１１と、２次匿名化ＩＤ情報記憶部３１２と、開示情報を作成しクリニック側治療情報システムに開示する情報連携処理部４２とをさらに有する。【選択図】図１
2013223586.tif 000002
【特許請求の範囲】
【請求項１】
拠点機関側治療情報システムと、
ネットワークを介して前記拠点機関側治療情報システムと相互に情報を交換できる複数のクリニック側治療情報システムと、
を有する治療情報地域連携システムであって、
前記拠点機関側治療情報システムは、
ＩＤ情報とそのＩＤ情報に関連付けられた本体情報とを含む治療情報入力を受け付けるための治療情報入力部と、
前記治療情報入力部から入力された情報を記憶する治療情報記憶部と、
前記クリニック側治療情報システムから出力された診断情報入力を受け付ける施設患者情報入力部と、
前記施設患者情報入力部から入力された情報を記憶する施設患者情報記憶部と、
前記治療情報記憶部に記憶された治療情報について、匿名化処理を行う治療情報１次匿名化処理部と、
前記治療情報１次匿名化処理部において匿名化された１次匿名化ＩＤ情報を記憶する１次匿名化ＩＤ情報記憶部と、
前記治療情報１次匿名化処理部において匿名化された１次匿名化本体情報を記憶する１次匿名化本体情報記憶部と、
前記１次匿名化ＩＤ情報記憶部に記憶された１次匿名化ＩＤ情報についてさらに匿名化処理を行うＩＤ情報２次匿名化処理部と、
前記２次匿名化ＩＤ情報を記憶する２次匿名化ＩＤ情報記憶部と、
前記治療情報記憶部、前記２次匿名化ＩＤ情報記憶部、前記１次匿名化本体情報記憶部および前記施設患者情報記憶部に記憶された情報から、開示情報を作成し、前記クリニック側治療情報システムからの要求に応じて前記クリニック側治療情報システムに開示する情報連携処理部と、
を有し、
前記クリニック側治療情報システムそれぞれは、前記情報連携処理部で作成された前記開示情報を表示するクリニック側表示部と、前記拠点機関側治療情報システムへの開示要求を受け付けるクリニック側入力部と、を有し、
前記クリニック側入力部および前記クリニック側表示部と前記情報連携処理部とは、ネットワークを介して相互に情報を交換できる、
ことを特徴とする治療情報地域連携システム。
【請求項２】
前記拠点機関側治療情報システムは、前記クリニック側治療情報システムの要求により前記開示情報の匿名化条件を指令する要求項目選択開示指令部をさらに有し、
前記情報連携処理部は、さらに前記要求項目選択開示指令部から指令された匿名化条件に基づき、前記開示情報を作成する、
ことを特徴とする請求項１に記載の治療情報地域連携システム。
【請求項３】
前記拠点機関側治療情報システムは、前記クリニック側治療情報システムの要求によらず前記開示情報の匿名化条件を指令する任意選択開示指令部をさらに有し、
前記情報連携処理部は、さらに前記任意選択開示指令部から指令された匿名化条件に基づき、前記開示情報を作成し前記クリニック側治療情報システムに開示する、
ことを特徴とする請求項１に記載の治療情報地域連携システム。
【請求項４】
拠点機関側治療情報システムと、
ネットワークを介して前記拠点機関側治療情報システムと相互に情報を交換できる複数のクリニック側治療情報システムと、
を有する治療情報地域連携システムであって、
前記拠点機関側治療情報システムは、
治療情報入力を受け付けるための治療情報入力部と、
前記治療情報入力部から入力された情報を記憶する治療情報記憶部と、
前記クリニック側治療情報システムから出力された診断情報入力を受け付ける施設患者情報入力部と、
前記施設患者情報入力部から入力された情報を記憶する施設患者情報記憶部と、
前記治療情報記憶部に記憶された治療情報について、匿名化処理を行う治療情報１次匿名化処理部と、
前記治療情報処理部において１次匿名化された１次匿名化ＩＤ情報を記憶する１次匿名化ＩＤ情報記憶部と、
前記治療情報処理部において１次匿名化された１次匿名化本体情報を記憶する１次匿名化本体情報記憶部と、
前記クリニック側治療情報システムに開示する形態をあらかじめ設定する開示情報設定部と、
前記クリニック側治療情報システムからの要求条件に応じて、前記開示情報設定部で設定された要求対応匿名化条件に基づき匿名化条件を出力する開示情報判定処理部と、
前記匿名化条件を記憶する匿名化条件記憶部と、
前記匿名化条件記憶部に記憶された匿名化条件に基づき、前記治療情報記憶部、前記１次匿名化ＩＤ情報記憶部、前記施設患者情報記憶部および前記匿名化条件記憶部に記憶された情報から、開示情報を作成し、前記クリニック側治療情報システムに開示する情報連携処理部と、
を有し、
前記クリニック側治療情報システムは、前記情報連携処理部で作成された前記開示情報を表示するクリニック側表示部と、前記拠点機関側治療情報システムへの開示要求を受け付けるクリニック側入力部と、を有し、
前記クリニック側入力部および前記クリニック側表示部と前記情報連携処理部とは、ネットワークを介して相互に情報を交換できる、
ことを特徴とする治療情報地域連携システム。
【請求項５】
ネットワークを介して複数のクリニック側と相互に情報を交換できる拠点機関側治療情報システムにおいて、
ＩＤ情報とそのＩＤ情報に関連付けられた本体情報とを含む治療情報入力を受け付けるための治療情報入力部と、
前記治療情報入力部から入力された情報を記憶する治療情報記憶部と、
前記クリニック側治療情報システムから出力された診断情報入力を受け付ける施設患者情報入力部と、
前記施設患者情報入力部から入力された情報を記憶する施設患者情報記憶部と、
前記治療情報記憶部に記憶された治療情報について、匿名化処理を行う治療情報１次匿名化処理部と、
前記治療情報１次匿名化処理部において匿名化された１次匿名化ＩＤ情報を記憶する１次匿名化ＩＤ情報記憶部と、
前記治療情報１次匿名化処理部において匿名化された１次匿名化本体情報を記憶する１次匿名化本体情報記憶部と、
前記１次匿名化ＩＤ情報記憶部に記憶された１次匿名化ＩＤ情報についてさらに匿名化処理を行うＩＤ情報２次匿名化処理部と、
前記２次匿名化ＩＤ情報を記憶する２次匿名化ＩＤ情報記憶部と、
前記治療情報記憶部、前記２次匿名化ＩＤ情報記憶部、前記１次匿名化本体情報記憶部および前記施設患者情報記憶部に記憶された情報から、開示情報を作成し、前記クリニック側治療情報システムからの要求に応じて前記クリニック側治療情報システムに開示する情報連携処理部と、
を有することを特徴とする拠点機関側治療情報システム。
【請求項６】
ネットワークを介して複数のクリニック側と相互に情報を交換できる拠点機関側治療情報システムにおいて、
治療情報入力を受け付けるための治療情報入力部と、
前記治療情報入力部から入力された情報を記憶する治療情報記憶部と、
前記クリニック側治療情報システムから出力された診断情報入力を受け付ける施設患者情報入力部と、
前記施設患者情報入力部から入力された情報を記憶する施設患者情報記憶部と、
前記治療情報記憶部に記憶された治療情報について、匿名化処理を行う治療情報１次匿名化処理部と、
前記治療情報処理部において１次匿名化された１次匿名化ＩＤ情報を記憶する１次匿名化ＩＤ情報記憶部と、
前記治療情報処理部において１次匿名化された１次匿名化本体情報を記憶する１次匿名化本体情報記憶部と、
前記クリニック側治療情報システムに開示する形態をあらかじめ設定する開示情報設定部と、
前記クリニック側治療情報システムからの要求条件に応じて、前記開示情報設定部で設定された要求対応匿名化条件に基づき匿名化条件を出力する開示情報判定処理部と、
前記匿名化条件を記憶する匿名化条件記憶部と、
前記匿名化条件記憶部に記憶された匿名化条件に基づき、前記治療情報記憶部、前記１次匿名化ＩＤ情報記憶部、前記施設患者情報記憶部および前記匿名化条件記憶部に記憶された情報から、開示情報を作成し、前記クリニック側治療情報システムに開示する情報連携処理部と、
を有することを特徴とする拠点機関側治療情報システム。
【発明の詳細な説明】
【技術分野】
【０００１】
本発明は、治療情報地域連携システムおよび、その一部をなす拠点機関側治療情報システムに関する。
【背景技術】
【０００２】
重粒子線治療のように規模の大きな施設を必要とする治療においては、重粒子線照射を行う拠点機関と各クリニックとが連携して行う必要がある。たとえば、各クリニックが紹介した患者についての情報のうち必要な範囲については匿名化しない元の情報を拠点機関側と該当するクリニック側とで共有する必要がある。また、各クリニックが症例に関する情報を必要とする場合もあり、このような場合には、拠点機関は匿名化された匿名化情報を開示する必要がある。
【０００３】
このため、従来の重粒子線治療情報システムにおいては、特に個人情報保護の観点から、患者ＩＤ、氏名、年齢などの治療情報が簡単に表示等されないようにする必要がある。
【０００４】
そこで、特許文献１には、治療計画サーバの処理と並列にデータの保守を行う際に暗号化、匿名化する技術が開示されている。この他にも、匿名化や付替え、あるいはマスキング等による保護が行われている。
【先行技術文献】
【特許文献】
【０００５】
【特許文献１】特開２００９−１１２４０４号公報
【発明の概要】
【発明が解決しようとする課題】
【０００６】
前記のように、従来の重粒子線治療情報システムにおいては、治療情報が簡単に表示等されないように、匿名化等が行われている。しかし、匿名化されていても匿名ＩＤがあることにより、情報システム内での扱いによりその治療情報に関する個人を一意的に特定あるいは判断することが可能となるおそれがある。
【０００７】
特に、重粒子線治療のように拠点機関と各クリニックとの地域連携システムのもとに進める治療においては、治療情報のアクセス性の確保が重要であるとともに、基本的には匿名性を同時に確保することが重要な課題である。
【０００８】
そこで、本発明は、拠点機関と各クリニックとの地域連携のもとに進める治療に関する治療情報について、必要なアクセス性を確保しながら、必要な匿名性を確保できることを目的とする。
【課題を解決するための手段】
【０００９】
上述の目的を達成するため、本発明は、拠点機関側治療情報システムと、ネットワークを介して前記拠点機関側治療情報システムと相互に情報を交換できる複数のクリニック側治療情報システムと、を有する治療情報地域連携システムであって、前記拠点機関側治療情報システムは、ＩＤ情報とそのＩＤ情報に関連付けられた本体情報とを含む治療情報入力を受け付けるための治療情報入力部と、前記治療情報入力部から入力された情報を記憶する治療情報記憶部と、前記クリニック側治療情報システムから出力された診断情報入力を受け付ける施設患者情報入力部と、前記施設患者情報入力部から入力された情報を記憶する施設患者情報記憶部と、前記治療情報記憶部に記憶された治療情報について、匿名化処理を行う治療情報１次匿名化処理部と、前記治療情報１次匿名化処理部において匿名化された１次匿名化ＩＤ情報を記憶する１次匿名化ＩＤ情報記憶部と、前記治療情報１次匿名化処理部において匿名化された１次匿名化本体情報を記憶する１次匿名化本体情報記憶部と、前記１次匿名化ＩＤ情報記憶部に記憶された１次匿名化ＩＤ情報についてさらに匿名化処理を行うＩＤ情報２次匿名化処理部と、前記２次匿名化ＩＤ情報を記憶する２次匿名化ＩＤ情報記憶部と、前記治療情報記憶部、前記２次匿名化ＩＤ情報記憶部、前記１次匿名化本体情報記憶部および前記施設患者情報記憶部に記憶された情報から、開示情報を作成し、前記クリニック側治療情報システムからの要求に応じて前記クリニック側治療情報システムに開示する情報連携処理部と、を有し、前記クリニック側治療情報システムそれぞれは、前記情報連携処理部で作成された前記開示情報を表示するクリニック側表示部と、前記拠点機関側治療情報システムへの開示要求を受け付けるクリニック側入力部と、を有し、前記クリニック側入力部および前記クリニック側表示部と前記情報連携処理部とは、ネットワークを介して相互に情報を交換できる、ことを特徴とする。
【００１０】
また、本発明は、拠点機関側治療情報システムと、ネットワークを介して前記拠点機関側治療情報システムと相互に情報を交換できる複数のクリニック側治療情報システムと、を有する治療情報地域連携システムであって、前記拠点機関側治療情報システムは、治療情報入力を受け付けるための治療情報入力部と、前記治療情報入力部から入力された情報を記憶する治療情報記憶部と、前記クリニック側治療情報システムから出力された診断情報入力を受け付ける施設患者情報入力部と、前記施設患者情報入力部から入力された情報を記憶する施設患者情報記憶部と、前記治療情報記憶部に記憶された治療情報について、匿名化処理を行う治療情報１次匿名化処理部と、前記治療情報処理部において１次匿名化された１次匿名化ＩＤ情報を記憶する１次匿名化ＩＤ情報記憶部と、前記治療情報処理部において１次匿名化された１次匿名化本体情報を記憶する１次匿名化本体情報記憶部と、前記クリニック側治療情報システムに開示する形態をあらかじめ設定する開示情報設定部と、前記クリニック側治療情報システムからの要求条件に応じて、前記開示情報設定部で設定された要求対応匿名化条件に基づき匿名化条件を出力する開示情報判定処理部と、前記匿名化条件を記憶する匿名化条件記憶部と、前記匿名化条件記憶部に記憶された匿名化条件に基づき、前記治療情報記憶部、前記１次匿名化ＩＤ情報記憶部、前記施設患者情報記憶部および前記匿名化条件記憶部に記憶された情報から、開示情報を作成し、前記クリニック側治療情報システムに開示する情報連携処理部と、を有し、前記クリニック側治療情報システムは、前記情報連携処理部で作成された前記開示情報を表示するクリニック側表示部と、前記拠点機関側治療情報システムへの開示要求を受け付けるクリニック側入力部と、を有し、前記クリニック側入力部および前記クリニック側表示部と前記情報連携処理部とは、ネットワークを介して相互に情報を交換できる、ことを特徴とする。
【００１１】
また、本発明は、ネットワークを介して複数のクリニック側と相互に情報を交換できる拠点機関側治療情報システムにおいて、ＩＤ情報とそのＩＤ情報に関連付けられた本体情報とを含む治療情報入力を受け付けるための治療情報入力部と、前記治療情報入力部から入力された情報を記憶する治療情報記憶部と、前記クリニック側治療情報システムから出力された診断情報入力を受け付ける施設患者情報入力部と、前記施設患者情報入力部から入力された情報を記憶する施設患者情報記憶部と、前記治療情報記憶部に記憶された治療情報について、匿名化処理を行う治療情報１次匿名化処理部と、前記治療情報１次匿名化処理部において匿名化された１次匿名化ＩＤ情報を記憶する１次匿名化ＩＤ情報記憶部と、前記治療情報１次匿名化処理部において匿名化された１次匿名化本体情報を記憶する１次匿名化本体情報記憶部と、前記１次匿名化ＩＤ情報記憶部に記憶された１次匿名化ＩＤ情報についてさらに匿名化処理を行うＩＤ情報２次匿名化処理部と、前記２次匿名化ＩＤ情報を記憶する２次匿名化ＩＤ情報記憶部と、前記治療情報記憶部、前記２次匿名化ＩＤ情報記憶部、前記１次匿名化本体情報記憶部および前記施設患者情報記憶部に記憶された情報から、開示情報を作成し、前記クリニック側治療情報システムからの要求に応じて前記クリニック側治療情報システムに開示する情報連携処理部と、を有することを特徴とする。
【００１２】
また、本発明は、ネットワークを介して複数のクリニック側と相互に情報を交換できる拠点機関側治療情報システムにおいて、治療情報入力を受け付けるための治療情報入力部と、前記治療情報入力部から入力された情報を記憶する治療情報記憶部と、前記クリニック側治療情報システムから出力された診断情報入力を受け付ける施設患者情報入力部と、前記施設患者情報入力部から入力された情報を記憶する施設患者情報記憶部と、前記治療情報記憶部に記憶された治療情報について、匿名化処理を行う治療情報１次匿名化処理部と、前記治療情報処理部において１次匿名化された１次匿名化ＩＤ情報を記憶する１次匿名化ＩＤ情報記憶部と、前記治療情報処理部において１次匿名化された１次匿名化本体情報を記憶する１次匿名化本体情報記憶部と、前記クリニック側治療情報システムに開示する形態をあらかじめ設定する開示情報設定部と、前記クリニック側治療情報システムからの要求条件に応じて、前記開示情報設定部で設定された要求対応匿名化条件に基づき匿名化条件を出力する開示情報判定処理部と、前記匿名化条件を記憶する匿名化条件記憶部と、前記匿名化条件記憶部に記憶された匿名化条件に基づき、前記治療情報記憶部、前記１次匿名化ＩＤ情報記憶部、前記施設患者情報記憶部および前記匿名化条件記憶部に記憶された情報から、開示情報を作成し、前記クリニック側治療情報システムに開示する情報連携処理部と、を有することを特徴とする。
【発明の効果】
【００１３】
本発明によれば、拠点機関と各クリニックとの地域連携のもとに進める治療に関する治療情報について、必要なアクセス性を確保しながら、必要な匿名性を確保することができる。
【図面の簡単な説明】
【００１４】
【図１】本発明の第１の実施形態に係る治療情報地域連携システムを示すブロック図。
【図２】本発明の第１の実施形態に係る治療情報地域連携システムの患者情報匿名化処理によるデータ構成を示すテーブル。
【図３】本発明の第１の実施形態に係る治療情報地域連携システムの患者情報匿名化処理による表示画面を示す概略図。
【図４】本発明の第２の実施形態に係る治療情報地域連携システムを示すブロック図。
【図５】本発明の第２の実施形態に係る治療情報地域連携システムの患者情報匿名化処理によるデータ構成を示すテーブル。
【図６】本発明の第２の実施形態に係る治療情報地域連携システムの患者情報匿名化処理による表示画面を示す概略図。
【図７】本発明の第３の実施形態に係る治療情報地域連携システムを示すブロック図。
【図８】本発明の第３の実施形態に係る治療情報地域連携システムの患者情報匿名化処理による表示画面を示す概略図。
【図９】本発明の第４の実施形態に係る治療情報地域連携システムを示すブロック図。
【図１０】本発明の第４の実施形態に係る治療情報地域連携システムの患者情報匿名化処理によるデータ構成を示すテーブル。
【図１１】本発明の第４の実施形態に係る治療情報地域連携システムの患者情報匿名化処理による表示画面を示す概略図。
【発明を実施するための形態】
【００１５】
以下、図面を参照して本発明に係る治療情報地域連携システムの実施形態について説明する。ここで、同一または類似の部分には、共通の符号を付して、重複説明は省略する。
【００１６】
［第１の実施形態］
図１は、本発明の第１の実施形態に係る治療情報地域連携システムを示すブロック図である。
【００１７】
治療情報地域連携システムは、拠点機関側治療情報システム１００と複数のクリニック側治療情報システム２００とを有する。拠点機関側治療情報システム１００と複数のクリニック側治療情報システム２００とは、ネットワークを介して相互に情報を交換できる。
【００１８】
ネットワークを介して情報交換をするために、拠点機関側治療情報システム１００には第１のネットワーク制御部１１が、また、複数のクリニック側治療情報システム２００にはそれぞれ第２のネットワーク制御部２０１が、設けられている。
【００１９】
拠点機関側治療情報システム１００は、治療情報入力部２１、治療情報記憶部３１、施設患者情報入力部２２、施設患者情報記憶部３２、治療情報１次匿名化処理部４１、１次匿名化ＩＤ情報記憶部３３、１次匿名化本体情報記憶部３４、ＩＤ情報２次匿名化処理部３１１、２次匿名化ＩＤ情報記憶部３１２、情報連携処理部４２を有する。
【００２０】
治療情報入力部２１は、患者のＩＤ情報とそのＩＤ情報に関連付けられた治療部位、治療計画情報、照射結果情報等を示す本体情報とを含む治療情報の入力を受け付ける。治療情報入力部２１から入力された情報は、治療情報記憶部３１により記憶される。
【００２１】
施設患者情報入力部２２は、各クリニック側治療情報システム２００から出力された診断情報入力を受け付ける。施設患者情報入力部２２で入力された情報は、施設患者情報記憶部３２により記憶される。
【００２２】
治療情報１次匿名化処理部４１は、治療情報記憶部３１に記憶された治療情報について匿名化処理を行う。治療情報１次匿名化処理部４１において匿名化された１次匿名化ＩＤ情報は、１次匿名化ＩＤ情報記憶部３３により記憶される。また、治療情報１次匿名化処理部４１において匿名化された１次匿名化本体情報は、１次匿名化本体情報記憶部３４により記憶される。
【００２３】
元の治療情報から１次匿名化ＩＤ情報ならびに１次匿名化本体情報は、所定の紐付け情報、変換方式によって変換される。第１のネットワーク制御部１１は、元の治療情報、１次匿名化ＩＤ情報、紐付け情報等を、拠点機関側治療情報システム１００外へ送信しないように制限することが望ましい。
【００２４】
ＩＤ情報２次匿名化処理部３１１は、１次匿名化ＩＤ情報記憶部３３に記憶された１次匿名化ＩＤ情報についてさらに匿名化処理を行い、２次匿名化ＩＤ情報を作成する。２次匿名化ＩＤ情報は、２次匿名化ＩＤ情報記憶部３１２により記憶される。
【００２５】
この１次匿名化ＩＤから２次匿名化ＩＤへの２次匿名化処理にあたっては、元ＩＤから１次匿名化ＩＤへの１次匿名化処理とは異なる紐付け情報、変換方式によってＩＤ変換を行うことが望ましい。
【００２６】
さらに２次匿名化における紐付け情報、変換方式は、複数のクリニック側治療情報システム２００において各々異なるものを用意することによって、万が一、特定のクリニック側治療情報システム２００に送信された２次匿名化ＩＤから１次匿名化ＩＤの一部分ないし全部が判断、特定された場合に、他のクリニック側治療情報システム２００に送信された２次匿名化ＩＤから１次匿名化ＩＤが特定されることを防ぐことができる。
【００２７】
情報連携処理部４２は、治療情報記憶部３１、２次匿名化ＩＤ情報記憶部３１２、１次匿名化本体情報記憶部３４および施設患者情報記憶部３２に記憶された情報から、開示してもよいとする情報、すなわち開示情報を作成し、クリニック側治療情報システム２００に開示する。
【００２８】
複数のクリニック側治療情報システム２００は、情報連携処理部４２で作成された開示情報を表示するクリニック側表示部２０２と、クリニック側入力部２０３とを有する。クリニック側入力部２０３およびクリニック側表示部２０２と情報連携処理部４２とは、ネットワークを介して相互に情報を交換できる。
【００２９】
図２は、本発明の第１の実施形態に係る治療情報地域連携システムの患者情報匿名化処理によるデータ構成を示すテーブルである。情報連携処理部４２からの匿名化情報の取得要求があると、１次匿名化ＩＤ情報記憶部３３に記憶された１次匿名化ＩＤ情報に基づき、ＩＤ情報２次匿名化処理部３１１は、１次匿名化ＩＤ情報記憶部３３に記憶された１次匿名化ＩＤ情報について、さらに匿名化処理を行い、２次匿名化ＩＤ情報を作成する。
【００３０】
特に、クリニック側治療情報システム２００側において開示情報を一時的に参照する場合等においては、２次匿名化ＩＤと１次匿名化ＩＤとの変換を可逆可能な状態とすることは不要である。そこで、２次匿名化ＩＤを開示に際しての一時的なものとし、クリニック側治療情報システム２００への開示情報の送信後に、拠点機関側治療情報システム１００内の２次匿名化ＩＤならびに１次匿名化ＩＤからの変換、紐付け方式等を逐次消去する構成としてもよい。さらに、１次匿名化ＩＤから２次匿名化ＩＤへの紐付け、変更方式を所定の期間ごとに、またはランダムに変更することによって２次匿名化ＩＤから１次匿名化ＩＤの判断、特定がより困難となる。
【００３１】
情報連携処理部４２は、図２のように、患者ＩＤ情報については２次匿名化された２次匿名化ＩＤ情報を用いることにより、部位、プロトコール、治療計画情報、照射結果情報を、クリニック側治療情報システム２００への開示情報として作成する。
【００３２】
図３は、本発明の第１の実施形態に係る治療情報地域連携システムの患者情報匿名化処理による表示画面を示す概略図である。情報連携処理部４２により作成された開示情報に基づき、クリニック側治療情報システム２００のクリニック側表示部２０２には、図３のように、２次匿名化ＩＤ情報と、治療に関する参考情報として、匿名化された氏名、診断名、担当医、部位、プロトコールが表示される。
【００３３】
本実施形態によれば、患者ＩＤ情報については、１次匿名化の後にさらに２次匿名化処理されたものを使用する。したがって、万が一、２次匿名化ＩＤから１次匿名化ＩＤの一部分ないし全てを特定、判断できた場合であっても、上述したように、元ＩＤ、１次匿名化ＩＤ、元ＩＤから１次匿名化ＩＤへの紐付け情報は拠点機関側治療情報システム１００内に記憶され、外部に送信されないため、元ＩＤまでの特定はできない。
【００３４】
この結果、拠点機関側治療情報システム１００からクリニック側治療情報システム２００に治療情報を開示するにあたって、必要な匿名性を確保することができる。
【００３５】
また、情報連携処理部４２は、開示要求に基づき開示情報を必要な範囲で設定し、開示することからアクセス性も確保されている。
【００３６】
この結果、拠点機関と各クリニックとの地域連携のもとに進める治療に関する治療情報について、必要なアクセス性を確保しながら、必要な匿名性を確保することができる。
【００３７】
また、クリニック側治療情報システム２００側において２次匿名化ＩＤの表示が不要である場合等には、２次匿名化ＩＤ部分をマスクして開示情報として送信、表示させることによってさらに匿名性を強化することができる。
【００３８】
［第２の実施形態］
図４は、本発明の第２の実施形態に係る治療情報地域連携システムを示すブロック図である。本実施形態は、第１の実施形態に加え、拠点機関側治療情報システム１００は、要求項目選択開示指令部３２１をさらに有している。
【００３９】
要求項目選択開示指令部３２１は、クリニック側治療情報システム２００側からの要求により、開示情報の匿名化条件を設定し指令信号として情報連携処理部４２に出力する。
【００４０】
情報連携処理部４２は、治療情報記憶部３１、２次匿名化ＩＤ情報記憶部３１２、１次匿名化本体情報記憶部３４および施設患者情報記憶部３２に記憶された情報に加え、さらに前記要求項目選択開示指令部３２１から指令された匿名化条件に基づき、開示してもよいとする情報、すなわち開示情報を作成し、クリニック側治療情報システム２００に開示する。
【００４１】
図５は、本発明の第２の実施形態に係る治療情報地域連携システムの患者情報匿名化処理によるデータ構成を示すテーブルである。情報連携処理部４２は、図５のように、治療情報として、診断名、担当医、部位、プロトコール、治療計画情報、照射結果情報を、クリニック側治療情報システム２００への開示情報として作成する。
【００４２】
図６は、本発明の第２の実施形態に係る治療情報地域連携システムの患者情報匿名化処理による表示画面を示す概略図である。情報連携処理部４２により作成された開示情報に基づき、クリニック側治療情報システム２００のクリニック側表示部２０２には、図６のように、診断名、担当医、部位、プロトコールが表示される。
【００４３】
本実施形態によれば、患者ＩＤ情報は、匿名化の後にさらに匿名化処理されたものを使用するため、拠点機関側治療情報システム１００からクリニック側治療情報システム２００に治療情報を開示するにあたって、必要な匿名性を確保することができる。
【００４４】
また、情報連携処理部４２は、開示要求に基づき開示情報を必要な範囲で設定し、開示することからアクセス性も確保されている。
【００４５】
この結果、拠点機関と各クリニックとの地域連携のもとに進める治療に関する治療情報について、必要なアクセス性を確保しながら、必要な匿名性を確保することができる。
【００４６】
［第３の実施形態］
図７は、本発明の第３の実施形態に係る治療情報地域連携システムを示すブロック図である。本実施形態は、第１の実施形態に加えて、任意選択開示指令部３３１をさらに有している。
【００４７】
任意選択開示指令部３３１は、クリニック側治療情報システム２００側からの要求によらずに、拠点機関側治療情報システム１００側が開示の可否を設定した開示情報の匿名化条件を指令する。
【００４８】
情報連携処理部４２は、治療情報記憶部３１、２次匿名化ＩＤ情報記憶部３１２、１次匿名化本体情報記憶部３４および施設患者情報記憶部３２に記憶された情報に加え、さらに任意選択開示指令部３３１から指令された匿名化条件に基づき、開示情報を作成しクリニック側治療情報システム２００側に開示する。
【００４９】
図８は、本発明の第３の実施形態に係る治療情報地域連携システムの患者情報匿名化処理による表示画面を示す概略図である。情報連携処理部４２は、図８のように、治療情報として、診断名、担当医、部位、プロトコールなどの、個人を特定しない情報を、クリニック側治療情報システム２００への開示情報として作成する。
【００５０】
本実施形態によれば、情報連携処理部４２は、開示要求がなくとも、個人を特定しない開示可能な情報を必要な範囲で設定し、開示することによりアクセス性が確保されている。
【００５１】
この結果、拠点機関と各クリニックとの地域連携のもとに進める治療に関する治療情報について、必要なアクセス性を確保しながら、必要な匿名性を確保することができる。
【００５２】
［第４の実施形態］
図９は、本発明の第４の実施形態に係る治療情報地域連携システムを示すブロック図である。拠点機関側治療情報システム１００は、第１の実施形態と同様に、治療情報入力部２１と、治療情報記憶部３１と、施設患者情報入力部２２と、施設患者情報記憶部３２と、治療情報１次匿名化処理部４１と、１次匿名化ＩＤ情報記憶部３３と、１次匿名化本体情報記憶部３４とを有している。
【００５３】
本実施形態に係る拠点機関側治療情報システム１００は、さらに、開示情報設定部３４１と、開示情報判定処理部３４２と、匿名化条件記憶部３４３とを有している。
【００５４】
開示情報設定部３４１は、クリニック側治療情報システム２００に対して開示する形態をあらかじめ設定する。
【００５５】
匿名化条件記憶部３４３は、クリニック側治療情報システム２００からの要求条件に応じて、開示情報設定部３４１で設定された要求対応匿名化条件に基づいて、匿名化条件を出力する。この匿名化条件は、匿名化条件記憶部３４３により記憶される。
【００５６】
情報連携処理部４２は、匿名化条件記憶部３４３に記憶された匿名化条件に基づき、治療情報記憶部３１、１次匿名化ＩＤ情報記憶部３３、施設患者情報記憶部３２に記憶された情報から、開示情報を作成し、クリニック側治療情報システム２００に開示する。
【００５７】
図１０は、本発明の第４の実施形態に係る治療情報地域連携システムの患者情報匿名化処理によるデータ構成を示すテーブルである。開示情報設定部３４１で設定された要求対応匿名化条件としては、通常、年齢別、地域別、体重別などがある。それぞれの匿名化条件に応じて、開示情報の形態が設定される。匿名ＩＤ、氏名は常に匿名化されたものを用いる。
【００５８】
たとえば、通常の要求がクリニック側治療情報システム２００からなされた場合には、生年月日、性別、身長、体重、血液型、住所は匿名化、診断名、担当医、部位、プロトコール、治療計画情報、照射結果情報は、非匿名化として、条件を設定する。
【００５９】
年齢別の場合は、年齢情報が、非匿名化とされる。地域別の場合は、住所の一部すなわち地域がわかる情報が非匿名化とされる。また、体重別の場合は、体重が非匿名化とされる。
【００６０】
図１１は、本発明の第４の実施形態に係る治療情報地域連携システムの患者情報匿名化処理による表示画面を示す概略図である。たとえば、通常の表示を要求した場合には、匿名化されたＩＤ、匿名化された氏名、診断名、担当医、部位、プロトコールが表示される。
【００６１】
また、画面の右側に、体重検索、地域検索、年齢検索の表示があり、この部分のいずれかにタッチすると、それに応じた匿名化条件により、それぞれ、体重、地域、年齢が追加表示される。
【００６２】
本実施形態によれば、情報連携処理部４２は、クリニック側治療情報システム２００からの開示要求に基づき、開示要求の種類に応じて、個人を特定しない開示可能な情報を必要な範囲で設定し、開示する。
【００６３】
この結果、拠点機関と各クリニックとの地域連携のもとに進める治療に関する治療情報について、必要なアクセス性を確保しながら、必要な匿名性を確保することができる。
【００６４】
［その他の実施形態］
以上、本発明のいくつかの実施形態を説明したが、これらの実施形態は、例として提示したものであり、発明の範囲を限定することは意図していない。また、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６５】
１００・・・拠点機関側治療情報システム
１１・・・第１のネットワーク制御部
２１・・・治療情報入力部
２２・・・施設患者情報入力部
３１・・・治療情報記憶部
３２・・・施設患者情報記憶部
３３・・・１次匿名化ＩＤ情報記憶部
３４・・・１次匿名化本体情報記憶部
４１・・・治療情報１次匿名化処理部
４２・・・情報連携処理部
２００・・・クリニック側治療情報システム
２０１・・・第２のネットワーク制御部
２０２・・・クリニック側表示部
２０３・・・クリニック側入力部
３１１・・・ＩＤ情報２次匿名化処理部
３１２・・・２次匿名化ＩＤ情報記憶部
３２１・・・要求項目選択開示指令部
３３１・・・任意選択開示指令部
３４１・・・開示情報設定部
３４２・・・開示情報判定処理部
３４３・・・匿名化条件記憶部
【図１】
2013223586.tif 000003
【図２】
2013223586.tif 000004
【図３】
2013223586.tif 000005
【図４】
2013223586.tif 000006
【図５】
2013223586.tif 000007
【図６】
2013223586.tif 000008
【図７】
2013223586.tif 000009
【図８】
2013223586.tif 000010
【図９】
2013223586.tif 000011
【図１０】
2013223586.tif 000012
【図１１】
2013223586.tif 000013